(57)【要約】【課題】溶解成分の除去率の低下をより抑制することの可能な水処理装置を得る。【解決手段】隔膜２７を挟んで対向配置される陽極板２５と陰極板２６とを有する電解槽２を備えた水処理装置１において、電解槽２を２つ（複数）設けるとともに、その２つ（複数）の電解槽２Ａ、２Ｂを並列または直列に接続させる切替手段４０を設ける。【選択図】図１
2014108378.tif 000002
【特許請求の範囲】
【請求項１】
隔膜を挟んで対向配置される陽極板と陰極板とを有する電解槽を備えた水処理装置において、
前記電解槽を複数設けるとともに、複数の前記電解槽を並列または直列に接続させる切替手段を設けたことを特徴とする水処理装置。
【請求項２】
前記切替手段は、並列に接続される前記電解槽の数を増減させるように切り替えることを特徴とする請求項１に記載の水処理装置。
【請求項３】
前記切替手段は、直列に接続される前記電解槽の数を増減させるように切り替えることを特徴とする請求項１に記載の水処理装置。
【請求項４】
前記切替手段を複数設けたことを特徴とする請求項１〜３のうち何れか１項に記載の水処理装置。
【請求項５】
複数の前記切替手段が、並列と直列とを混在させて複数の前記電解槽を接続させるように切り替えることを特徴とする請求項４に記載の水処理装置。
【請求項６】
前記切替手段が、電磁弁または三方弁で構成されていることを特徴とする請求項１〜５のうち何れか１項に記載の水処理装置。
【請求項７】
第１の電解槽が内部に設けられた第１の電解槽収容体と、第２の電解槽が内部に設けられた第２の電解槽収容体とを備え、
前記切替手段は、前記第１の電解槽収容体に対して相対移動することで、前記第１の電解槽と前記第２の電解槽とを並列または直列に接続させる連通状態と遮断状態とを切り替えるように構成されていることを特徴とする請求項１〜５のうち何れか１項に記載の水処理装置。
【発明の詳細な説明】
【技術分野】
【０００１】
本発明は、水処理装置に関する。
【背景技術】
【０００２】
従来より、隔膜を挟んで対向配置される陽極板と陰極板とを有する電解槽を用い、両電極間に電圧を印加することで、処理水の溶解成分を電極界面に付着させて除去するようにした水処理装置が知られている（例えば、特許文献１参照）。
【先行技術文献】
【特許文献】
【０００３】
【特許文献１】特開２０００−９１１６９号公報
【発明の概要】
【発明が解決しようとする課題】
【０００４】
しかしながら、上記従来技術にあっては、処理水を両電極間の非常に狭まった流路に通水させなければならないため、流量が減少してしまうという問題がある。そこで、流量を稼ぐために、例えばポンプなどを用いて加圧するなどの処理を行うことが考えられるが、この場合、流路を通過する時間が短縮してしまうこととなるため、溶解成分の除去率が低下してしまう虞があった。
【０００５】
また、処理水によって溶解成分の量である所謂ＴＤＳ（Total Dissolved Solids）値が異なるため、ＴＤＳ値の高い処理水と低い処理水とで同じ処理を行っていては、ＴＤＳ値の高い処理水の除去率が低下してしまう虞もある。
【０００６】
そこで、本発明は、溶解成分の除去率の低下をより抑制することの可能な水処理装置を得ることを目的とする。
【課題を解決するための手段】
【０００７】
上記目的を達成するために、本発明の第１の特徴は、隔膜を挟んで対向配置される陽極板と陰極板とを有する電解槽を備えた水処理装置において、前記電解槽を複数設けるとともに、複数の前記電解槽を並列または直列に接続させる切替手段を設けたことを要旨とする。
【０００８】
本発明の第２の特徴は、前記切替手段は、並列に接続される前記電解槽の数を増減させるように切り替えることを要旨とする。
【０００９】
本発明の第３の特徴は、前記切替手段は、直列に接続される前記電解槽の数を増減させるように切り替えることを要旨とする。
【００１０】
本発明の第４の特徴は、前記切替手段を複数設けたことを要旨とする。
【００１１】
本発明の第５の特徴は、複数の前記切替手段が、並列と直列とを混在させて複数の前記電解槽を接続させるように切り替えることを要旨とする。
【００１２】
本発明の第６の特徴は、前記切替手段が、電磁弁または三方弁で構成されていることを要旨とする。
【００１３】
本発明の第７の特徴は、第１の電解槽が内部に設けられた第１の電解槽収容体と、第２の電解槽が内部に設けられた第２の電解槽収容体とを備え、前記切替手段は、前記第１の電解槽収容体に対して相対移動することで、前記第１の電解槽と前記第２の電解槽とを並列または直列に接続させる連通状態と遮断状態とを切り替えるように構成されていることを要旨とする。
【発明の効果】
【００１４】
本発明によれば、電解槽を複数設けるとともに、複数の電解槽を並列または直列に接続させる切替手段を設けている。そのため、切替手段によって複数の電解槽を並列に接続させることで、両電極間の流路の断面積を電解槽の数に応じて倍増させることができるようになる。これにより、従来のように加圧を行うことなく流量を稼ぐことができるようになる一方で、各電解槽を通過する時間は短縮させずにすむため、溶解成分の除去率の低下を抑えることができる。また、切替手段によって複数の電解槽を直列に接続させた場合には、両電極と接触する通水距離を電解槽の数に応じて倍増させることができるようになる。したがって、ＴＤＳ値の高い処理水にあっても溶解成分の除去率の低下を抑えることができる。
【００１５】
このように、本発明によれば、切替手段によって複数の電解槽を並列または直列に接続させることで、溶解成分の除去率の低下をより抑制することができるようになる。
【図面の簡単な説明】
【００１６】
【図１】本発明の第１実施形態にかかる水処理装置を示す概略構成図である。
【図２】本発明の第１実施形態にかかる水処理装置の第１変形例を示した説明図である。
【図３】本発明の第１実施形態にかかる水処理装置の第２変形例を示した説明図であって、（ａ）は何れか１つの電解槽に単独で通水させた状況を示した図、（ｂ）は複数の電解槽を並列に接続して通水させた状況を示した図である。
【図４】本発明の第２実施形態にかかる水処理装置を示す概略構成図である。
【図５】本発明の第２実施形態にかかる水処理装置の第１変形例を示した説明図である。
【図６】本発明の第２実施形態にかかる水処理装置の第２変形例を示した説明図であって、（ａ）は何れか１つの電解槽に単独で通水させた状況を示した図、（ｂ）は複数の電解槽を直列に接続して通水させた状況を示した図である。
【図７】本発明の第３実施形態にかかる水処理装置を示した説明図であって、（ａ）は複数の電解槽を並列に接続して通水させた状況を示した図、（ｂ）は複数の電解槽を直列に接続して通水させた状況を示した図である。
【図８】本発明の第３実施形態にかかる水処理装置の第１変形例を示した説明図である。
【図９】本発明の第３実施形態にかかる水処理装置の第２変形例を示した説明図であって、（ａ）は複数の電解槽を並列に接続して通水させた状況を示した図、（ｂ）は何れか１つの電解槽に単独で通水させた状況を示した図、（ｃ）は複数の電解槽を直列に接続して通水させた状況を示した図である。
【発明を実施するための形態】
【００１７】
以下、本発明の実施形態について図面を参照しつつ詳細に説明する。なお、以下の複数の実施形態ならびにその変形例には、同様の構成要素が含まれている。よって、以下では、それら同様の構成要素には共通の符号を付与するとともに、重複する説明を省略する。
【００１８】
［第１実施形態］
図１は、本発明の第１実施形態にかかる水処理装置１を示した図である。
【００１９】
本実施形態の水処理装置１は、図１に示すように、電解槽２と浄化部３および貯水タンク８などを備えており、これら電解槽２、浄化部３および貯水タンク８などがケース３０内に収納されて構成されている。
【００２０】
水処理装置１は、ケース３０から外部に引き出された原水導入管１１を備えており、その原水導入管１１が原水供給部としての蛇口４に取り付けられた水切替器５に接続されている。そして、本実施形態では、水切替器５のレバー５ａを操作することにより、蛇口４から流出する原水としての水道水を水処理装置１内に取り込み、水道水を処理するようになっている。なお、水処理装置１が処理する原水は、水道水に限られるものではなく、例えば井戸水や溜め水などであってもよい。
【００２１】
蛇口４から原水導入管１１に取り込まれた原水は、まずは浄化部３に流入する。
【００２２】
本実施形態の浄化部３は、前段（上流側）に活性炭収納部３１を配置し、後段（下流側）に中空糸膜収納部３２を配置した浄水カートリッジが用いられている。そして、活性炭収納部３１では原水中に含まれる残留塩素やトリハロメタンなどを除去する処理が行われ、中空糸膜収納部３２では活性炭収納部３１で捕捉しきれない微細な固形不純物の除去や、活性炭収納部３１から漏出した活性炭粒子を除去する処理が行われる。
【００２３】
そして、浄化部３を通過して濾過された水は、中空糸膜収納部３２の下流側に接続された第１の配水管１２に流出し、その第１の配水管１２を介して電解槽２に導入される。
【００２４】
電解槽２は、セパレータとなる隔膜２７を挟んで対向配置される少なくとも一対の陽極板２５および陰極板２６を有している。すなわち、図１では１つの隔膜２７と一対の陽極板２５および陰極板２６のみを図示しているが、隔膜２７を複数設け、陽極板２５、隔膜２７、陰極板２６、隔膜２７、陽極板２５・・・となるように配置してもよい。
【００２５】
電解槽２の吸入口２０に導入された水は、陽極板２５と陰極板２６との間に形成された流路を通過して吐出口２１から流出するようになっている。このとき、陽極板２５および陰極板２６には電気コード３６、３７が接続されており、電源部６から陽極板２５に正電位が印加され、陰極板２６に負電位が印加されることで電気分解が行われる。これにより、電解槽２に導入された水の溶解成分が両電極板２５、２６の電極界面に付着して除去される。
【００２６】
なお、陽極板２５側に付着する溶解成分としては、例えば塩化物イオン、硫酸イオン、硝酸イオン、亜硝酸イオンのようなアニオン成分、親水基としてカルボン酸、スルホン酸構造を持つアニオン系の界面活性剤などがある。また、陰極板２６側に付着する溶解成分としては、例えばナトリウムイオン、カリウムイオン、カルシウムイオン、マグネシウムイオン、金属イオンなどのカチオン成分、親水基としてアミン塩と第４級アンモニウム塩構造を持つアニオン系の界面活性剤などがある。
【００２７】
このように、電気分解によって溶解成分が除去された水は、電解槽２の吐出口２１から第２の配水管１３に流出し、三方弁７、第３の配水管１４を通過して貯水タンク８に貯留されるようになっている。
【００２８】
そして、貯水タンク８に貯留された水は、第４の配水管１６、吐水ポンプ９、第５の配水管１７を通過し、ケース３０の外部に引き出された吐水管１０の吐出口１０ａから取り出される。
【００２９】
また、貯水タンク８の上流側に配置された三方弁７には、第２の配水管１３と第３の配水管１４とに加えて排水管１５が接続されている。
【００３０】
排水管１５は、電解槽２のメンテナンス時に使用されるものである。電解槽２の陽極板２５および陰極板２６は、溶解成分が付着し続けると次第に飽和状態に達し、溶解成分が除去されなくなる。このような場合、例えば陽極板２５と陰極板２６とに印加されていた電位を切断するとともに、その切断させた状態で電解槽２内に通水させる。これにより、通水された水が陽極板２５と陰極板２６とに付着した溶解成分を取り込んで第２の配水管１３に流出し、三方弁７を切り替えることで排水管１５を通過させて排水口１８から水処理装置１の系外に排出させることができる。
【００３１】
ここで、本実施形態では、水処理装置１のケース３０内に電解槽２を２つ（複数）設けている。そして、その一方の電解槽２Ａと他方の電解槽２Ｂとを並列または直列に接続させる切替手段４０を設けている。
【００３２】
具体的には、本実施形態では、切替手段４０は、２つ（複数）の電解槽２のうち何れか１つ（電解槽２Ａ）に単独で通水させる一方の流路１２ａと、２つ（複数）の電解槽２を並列に繋いで通水させる他方の流路１２ｂとを切り替えるように構成されている。すなわち、切替手段４０は、切り替え操作によって並列に接続される電解槽２Ａ、２Ｂの数を増減させるようになっている。
【００３３】
切替手段４０は、本実施形態では電磁弁により構成されており、その電磁弁から成る切替手段４０が図示せぬ制御部と電気的に接続されている。そして、その切替手段４０を開閉操作することで、電解槽２Ａに単独で通水させる一方と、２つ（複数）の電解槽２Ａ、２Ｂを並列に繋いで通水させる他方とを切り替え自在となっている。
【００３４】
２つ（複数）の電解槽２Ａ、２Ｂは、それぞれ吸入口２０と吐出口２１とを１つずつ有している。そして、電解槽２Ａに単独で通水させる場合には、切替手段４０を閉じることで、一方の流路１２ａから電解槽２Ａの吸入口２０に導水され、電解槽２Ａの吐出口２１から第２の配水管１３に流出することになる。一方、２つ（複数）の電解槽２を並列に繋いで通水させる場合には、切替手段４０を開けることで、一方の流路１２ａと他方の流路１２ｂとからそれぞれ電解槽２Ａ、２Ｂの吸入口２０、２０に導水される。そして、それぞれの電解槽２Ａ、２Ｂの吐出口２１、２１から溶解成分が除去された水が第２の配水管１３に流出し、三方弁７の上流側で合流して貯水タンク８に流出することとなる。
【００３５】
以上、説明したように、本実施形態の水処理装置１によれば、電解槽２を２つ（複数）設けるとともに、その２つ（複数）の電解槽２Ａ、電解槽２Ｂを並列に接続させる切替手段４０を設けている。そのため、切替手段４０によって２つ（複数）の電解槽２Ａ、２Ｂを並列に接続させることで、陽極板２５と陰極板２６との間の流路の断面積を倍増させることができるようになる。これにより、従来のように加圧を行うことなく流量を稼ぐことができるようになる一方で、各電解槽２Ａ、２Ｂを通過する時間にあっては短縮させずにすむため、溶解成分の除去率の低下を抑えることができる。
【００３６】
また、本実施形態では、切替手段４０は、並列に接続される電解槽２Ａ、２Ｂの数を増減させるように切り替えるようになっている。そのため、通常状態では一方の電解槽２Ａのみを稼動させて浄水を生成する一方で、流量を稼ぎたい場合には、他方の電解槽２Ｂを稼動させるとともに切替手段４０を切り替えることで、２つ（複数）の電解槽２Ａ、２Ｂで浄水を生成することができるようになる。よって、水処理装置１の省エネ化を図ることができつつ、流量を変化させた場合にも一定の水質を得ることができるようになる。
【００３７】
さらに、本実施形態では、切替手段４０が電磁弁により構成されている。そのため、切替手段４０と電気的に接続された図示せぬ制御部からの制御信号によって、切替手段４０の開閉（即ち、第１の流路１２ａと第２の流路１２ｂとの切り替え操作）を容易に行うことができる。
【００３８】
なお、本実施形態では、並列させる電解槽２の数を２つとしたが、２つに限ることなく、３つ以上の電解槽２を用いるようにしても勿論よい。すなわち、電解槽２の数は、稼ぎたい流量に応じて適宜に変更可能である。
【００３９】
図２は、本実施形態の第１変形例を示した説明図である。
【００４０】
本変形例では、４つ（複数）の電解槽２Ａ〜２Ｄを用いているとともに、３つ（複数）の切替手段４０〜４２を設けている。そして、その３つの切替手段４０〜４２を操作することで、合計４つの電解槽２Ａ〜２Ｄを並列に繋ぐことができるようにしている。
【００４１】
すなわち、図２に示すように、通常状態では切替手段４０〜４２を閉じ、電解槽２Ａのみに通水させて処理を行う。こうすることで、基準となる流量１倍の浄水を生成することができる。
【００４２】
次に、流量を増やしたい場合には、閉じている切替手段４０〜４２を順次開くようにし、まずは切替手段４０〜４２のうちの切替手段４０を開くことで、２つの電解槽２Ａ、２Ｂを並列に繋いで処理を行うことができる。こうすることで、上述した流路の断面積を２倍とすることができ、基準となる流量に対して２倍量の浄水を得ることができる。同様に、基準となる流量に対して３倍量の浄水を得るためには、閉じている切替手段４０〜４２のうちの切替手段４０と４１とを開き、３つの電解槽２Ａ〜２Ｃを並列に繋いだ状態で処理を行うようにする。さらには、基準となる流量に対して４倍量の浄水を得るためには、すべての切替手段４０〜４２を開き、４つの電解槽２Ａ〜２Ｄを並列に繋いだ状態で処理を行うようにする。
【００４３】
このように、本変形例では、切替手段４０〜４２を３つ（複数）設け、その３つ（複数）の切替手段４０〜４２を操作することで、並列に接続される複数の電解槽２Ａ〜２Ｄの数を増減自在に調節することができるようにしている。そのため、所望の流量に応じて切替手段４０〜４２を切り替え操作することで、容易に所望の流量を稼ぐことができるようになる。その一方で、各電解槽２Ａ〜２Ｄを通過させる時間にあっては短縮させずにすむため、溶解成分の除去率の低下を抑えることができる。
【００４４】
図３（ａ）、（ｂ）は、上記第１実施形態の第２変形例を示した説明図である。
【００４５】
本変形例は、切替手段として上記第１実施形態および第１変形例の電磁弁に代えて流路切替部材６０を用いたものである。
【００４６】
本変形例の水処理装置１は、一方の電解槽（第１の電解槽）２Ａが内部に設けられた第１の電解槽収容体５０と、他方の電解槽（第２の電解槽）２Ｂが内部に設けられた第２の電解槽収容体７０とを備えている。
【００４７】
第１の電解槽収容体５０および第２の電解槽収容体７０には、それぞれ２つずつの管路５４，５５、７４，７５が形成されており、そのうちの一方の管路５４、７４に電解槽２Ａおよび２Ｂが接続して設けられている。
【００４８】
流路切替部材（切替手段）６０は、第１の電解槽収容体５０に対して相対移動自在に設けられており、本変形例では、第１の電解槽収容体５０に対して流路切替部材６０が回転自在となっている。こうすることで、流路切替部材６０に設けられた３つ（複数）の貫通孔６５〜６７で流路を切り替えるように構成されている。
【００４９】
かかる構成の本変形例では、通常状態では図３（ａ）に示すように、第１の配水管１２（図１参照）に通水された水を分岐させて第１の電解槽収容体５０の管路５４、５５に流入口５１、５２からそれぞれ導水させる。
【００５０】
第１の電解槽収容体５０の一方の管路５４に流出した水は、電解槽２Ａを通過することで溶解成分の除去が行われる。そして、一方の管路５４の流出口５７から流路切替部材６０の貫通孔６５を介して第２の電解槽収容体７０に導水され、他方の管路７５の流入口７１、流出口７７を通過して第２の配水管１３に吐水される。
【００５１】
一方、この状態では、第１の電解槽収容体５０の他方の管路５５に流出した水は、流路切替部材６０によって流出口５８が遮られており、第２の電解槽収容体７０の電解槽２Ｂと接続された一方の管路７４側への通水は遮断されている。
【００５２】
流量を増加させる場合には、流路切替部材６０を矢印Ａの方向に回転させ、図３（ｂ）に示す状態とする。こうすることで、第１の電解槽収容体５０の一方の管路５４が流路切替部材６０の貫通孔６６を介して第２の電解槽収容体７０の他方の管路７５と連通する。また、第１の電解槽収容体５０の他方の管路５５が流路切替部材６０の貫通孔６７を介して第２の電解槽収容体７０の一方の管路７４と連通する。したがって、２つの電解槽２Ａ、２Ｂを並列に繋いで処理を行うことができ、上述した流路の断面積を２倍として、基準となる流量に対して２倍量の浄水を生成することができる。
【００５３】
このように、本変形例では、流路切替部材（切替手段）６０が、第１の電解槽収容体５０に対して相対移動することで、一方の電解槽２Ａと他方の電解槽２Ｂとを並列に接続させる連通状態と遮断状態とを切り替えるように構成されている。そのため、流路切替部材（切替手段）６０を第１の電解槽収容体５０に対して相対移動させることで、２つの電解槽２Ａ、２Ｂを並列に繋いで処理を行う連通状態と、一方の電解槽２Ａのみに通水させて処理を行う遮断状態とを容易に切り替えることができる。
【００５４】
［第２実施形態］
次に、本発明の第２実施形態について図面を参照して説明する。図４は、本実施形態にかかる水処理装置１を示した図である。なお、本実施形態を説明するにあたって、上記第１実施形態の水処理装置１と同一構成部分には同一符号を付して重複する説明を省略して述べるものとする。
【００５５】
本実施形態の水処理装置１が上記第１実施形態と主に異なる点は、水処理装置１のケース３０内に電解槽２を２つ（複数）設けるとともに、その一方の電解槽２Ａと他方の電解槽２Ｂとを直列に接続させる切替手段４３を設けたことにある。
【００５６】
具体的には、本実施形態では、切替手段４３は、２つ（複数）の電解槽２のうち何れか１つ（電解槽２Ａ）に単独で通水させる一方の流路１３ａと、２つ（複数）の電解槽２を直列に繋いで通水させる他方の流路１３ｂとを切り替えるように構成されている。すなわち、切替手段４３は、切り替え操作によって直列に接続される電解槽２Ａ、２Ｂの数を増減させるようになっている。
【００５７】
切替手段４３は、本実施形態では三方弁により構成されており、その三方弁から成る切替手段４３が図示せぬ制御部と電気的に接続されている。そして、その切替手段４３を操作することで、電解槽２Ａにのみ通水させる一方と、２つ（複数）の電解槽２Ａ、２Ｂを直列に繋いで通水させる他方とを切り替え自在となっている。
【００５８】
２つ（複数）の電解槽２Ａ、２Ｂは、それぞれ吸入口２０と吐出口２１とを１つずつ有している。そして、電解槽２Ａにのみ通水させる場合には、一方の電解槽２Ａの吐出口２１から第２の配水管１３に流出した浄水を、切替手段４３によって他方の電解槽２Ｂを迂回して三方弁７に合流する一方の流路１３ａに導水させる。一方、２つ（複数）の電解槽２を直列に繋いで通水させる場合には、一方の電解槽２Ａの吐出口２１から第２の配水管１３に流出した浄水を、切替手段４３によって他方の電解槽２Ｂの吸入口２０に連通する他方の流路１３ｂに導水させることとなる。
【００５９】
以上、説明したように、本実施形態の水処理装置１によれば、電解槽２を２つ（複数）設けるとともに、その２つ（複数）の電解槽２Ａ、電解槽２Ｂを直列に接続させる切替手段４３を設けている。そのため、切替手段４３によって２つ（複数）の電解槽２Ａ、２Ｂを直列に接続させることで、両電極（陽極板２５と陰極板２６）と接触する通水距離を倍増させることができるようになる。したがって、溶解成分の量である所謂ＴＤＳ（Total Dissolved Solids）値の高い処理水にあっても溶解成分の除去率の低下を抑えることができるようになる。
【００６０】
なお、本実施形態では、電解槽２の上流側にＴＤＳ値を測定する検出センサを設けるのが好適である。
【００６１】
また、本実施形態では、切替手段４３は、直列に接続される電解槽２Ａ、２Ｂの数を増減させるように切り替えるようになっている。そのため、ＴＤＳ値の高い処理水を処理する場合には、切替手段４３によって２つ（複数）の電解槽２Ａ、電解槽２Ｂを直列に繋いで通水させるとともに、通常のＴＤＳ値の処理水を処理する場合には、電解槽２Ａにのみ通水させるようにすることができる。こうすることで、溶解成分の除去率の低下を抑えることができつつ、流量の減少を抑えることができるという利点がある。
【００６２】
さらに、本実施形態では、切替手段４３が三方弁により構成されている。そのため、図示せぬ制御部によって切替手段４３を制御することで、第１の流路１３ａと第２の流路１３ｂとの切り替え操作を容易に行うことができる。
【００６３】
なお、本実施形態では、切替手段４３を制御信号によって切り替えるようにしたが、手動で切替手段４３を切り替えるようにしてもよい。
【００６４】
また、本実施形態では、直列に接続させる電解槽２の数を２つとしたが、２つに限ることなく、３つ以上の電解槽２を直列に繋ぐようにしても勿論よい。
【００６５】
図５は、本実施形態の第１変形例を示した説明図である。
【００６６】
本変形例では、４つ（複数）の電解槽２Ａ〜２Ｄを用いているとともに、３つ（複数）の切替手段４３〜４５を設けている。そして、その３つの切替手段４３〜４５を操作することで、合計４つの電解槽２Ａ〜２Ｄを直列に繋ぐことができるようにしている。
【００６７】
すなわち、図５に示すように、通常のＴＤＳ値の処理水を処理する場合には、電解槽２Ａにのみ通水させるように切替手段４３を操作する。
【００６８】
次に、処理水のＴＤＳ値に応じて切替手段４３〜４５を順次切り替え操作するようにし、まずは２つの電解槽２Ａ、２Ｂを直列に繋いで処理を行うように切替手段４３、４４を操作する。こうすることで、上述した両電極（陽極板２５と陰極板２６）と接触する通水距離を２倍とすることができ、基準となるＴＤＳ値に対して２倍量の処理水に対応することができる。同様に、基準となるＴＤＳ値に対して３倍量の処理水に対応する場合には、切替手段４３〜４５を操作して３つの電解槽２Ａ〜２Ｃを直列に繋いだ状態で処理を行うようにする。さらには、基準となるＴＤＳ値に対して４倍量の処理水に対応する場合には、切替手段４３〜４５を操作して４つの電解槽２Ａ〜２Ｄを直列に繋いだ状態で処理を行うようにする。
【００６９】
このように、本変形例では、切替手段４３〜４５を３つ（複数）設け、その３つ（複数）の切替手段４３〜４５を操作することで、直列に接続される複数の電解槽２Ａ〜２Ｄの数を増減自在に調節することができるようにしている。そのため、処理水のＴＤＳ値に応じて切替手段４３〜４５を切り替え操作することで、幅広いＴＤＳ値の処理水に対応することができつつ溶解成分の除去率の低下を抑えることができるようになる。
【００７０】
なお、本変形例ならびに上記第２実施形態の水処理装置１では、切替手段４３を三方弁で構成するようにしたが、これに限定されず、例えば電磁弁で構成するようにしてもよい。
【００７１】
図６（ａ）、（ｂ）は、上記第２実施形態の第２変形例を示した説明図である。
【００７２】
本変形例の水処理装置１は、一方の電解槽（第１の電解槽）２Ａが内部に設けられた第１の電解槽収容体５０と、他方の電解槽（第２の電解槽）２Ｂが内部に設けられた第２の電解槽収容体７０とを備えている。
【００７３】
本変形例では、第１の電解槽収容体５０には、１つの管路５４が形成されており、その１つの管路５４に電解槽２Ａが接続して設けられている。一方、第２の電解槽収容体７０には、２つの管路７４，７５が形成されており、そのうちの一方の管路７４に電解槽２Ｂが接続して設けられている。
【００７４】
また、第１の電解槽収容体５０と第２の電解槽収容体７０の間には、貫通孔６８が形成された中間部材６０が配置されている。そして、本変形例では、第２の電解槽収容体７０が、第１の電解槽収容体５０に対して相対移動自在に設けられており、その第２の電解槽収容体７０が回転することで流路を切り替えるようになっている。すなわち、本変形例では、第２の電解槽収容体７０が切替手段となる。
【００７５】
かかる構成の本変形例では、通常状態では図６（ａ）に示すように、第１の配水管１２（図１参照）に通水された水を第１の電解槽収容体５０の管路５４の流入口５１に導水させる。
【００７６】
第１の電解槽収容体５０の管路５４に流出した水は、電解槽２Ａを通過することで溶解成分の除去が行われる。そして、管路５４の流出口５７から中間部材６０の貫通孔６８を介して第２の電解槽収容体７０に導水され、他方の管路７５の流入口７１、流出口７７を通過して第２の配水管１３に吐水される。
【００７７】
ＴＤＳ値の高い処理水を処理する場合には、第２の電解槽収容体７０を矢印Ｂの方向に回転させ、図６（ｂ）に示す状態とする。こうすることで、第１の電解槽収容体５０の管路５４が中間部材６０の貫通孔６８を介して第２の電解槽収容体７０の一方の管路７４と連通する。したがって、２つの電解槽２Ａ、２Ｂを直列に繋いで処理を行うことができ、上述した両電極（陽極板２５と陰極板２６）と接触する通水距離を２倍として、基準となるＴＤＳ値に対して２倍量の処理水に対応することができる。
【００７８】
このように、本変形例では、第２の電解槽収容体（切替手段）７０が、第１の電解槽収容体５０に対して相対移動することで、一方の電解槽２Ａと他方の電解槽２Ｂとを直列に接続させる連通状態と遮断状態とを切り替えるように構成されている。そのため、第２の電解槽収容体（切替手段）７０を第１の電解槽収容体５０に対して相対移動させることで、２つの電解槽２Ａ、２Ｂを直列に繋いで処理を行う連通状態と、一方の電解槽２Ａのみに通水させて処理を行う遮断状態とを容易に切り替えることができる。
【００７９】
［第３実施形態］
次に、本発明の第３実施形態について図面を参照して説明する。図７（ａ）、（ｂ）は、本実施形態にかかる水処理装置１を示した説明図である。なお、本実施形態を説明するにあたって、上記第１実施形態の水処理装置１と同一構成部分には同一符号を付して重複する説明を省略して述べるものとする。
【００８０】
本実施形態の水処理装置１が上記第１実施形態と主に異なる点は、水処理装置１のケース３０内に電解槽２を４つ（複数）設けるとともに、切替手段を８つ（複数）設けたことにある。そして、その８つ（複数）の切替手段８０〜８７を切り替え操作することで、４つ（複数）の電解槽２Ａ〜２Ｄを並列に接続させる場合と直列に接続させる場合の両方に対応できるようにしたものである。
【００８１】
具体的には、本実施形態では８つ（複数）の切替手段８０〜８７のすべてが電磁弁で構成されており、まずは流量を変化させる場合には、その切替手段８０〜８７のうちの８３を閉じるとともに、８４〜８７を開放した状態としておく。
【００８２】
そして、図７（ａ）に示すように、切替手段８０〜８２をすべて閉じ、電解槽２Ａのみに通水させて処理を行うことで、基準となる流量１倍の浄水を生成することができる。次に、増やしたい流量に応じて閉じている切替手段８０〜８２を順次開くようにし、まずは切替手段８０〜８２のうちの切替手段８０を開くことで、２つの電解槽２Ａ、２Ｂを並列に繋いで処理を行う。こうすることで、上述した流路の断面積を２倍とすることができ、基準となる流量に対して２倍量の浄水を得ることができる。同様に、基準となる流量に対して３倍量の浄水を得るためには、閉じている切替手段８０〜８２のうちの切替手段８０と８１とを開き、３つの電解槽２Ａ〜２Ｃを並列に繋いだ状態で処理を行うようにする。さらには、基準となる流量に対して４倍量の浄水を得るためには、切替手段８０〜８２を開き、４つの電解槽２Ａ〜２Ｄを並列に繋いだ状態で処理を行うようにする。
【００８３】
次に、処理水のＴＤＳ値が異なる場合には、切替手段８０〜８７のうちの８０を閉じるとともに、８４を開放した状態としておく。
【００８４】
そして、図７（ｂ）に示すように、通常のＴＤＳ値の処理水を処理する場合には、切替手段８１〜８３をすべて閉じるとともに、切替手段８５〜８７をすべて開放し、電解槽２Ａにのみ通水させて処理を行うようにする。次に、処理水のＴＤＳ値に応じて切替手段８１〜８３および８５〜８７を順次開閉操作するようにし、まずは切替手段８５〜８７をすべて閉じるとともに、切替手段８１〜８３をすべて開放して２つの電解槽２Ａ、２Ｂを直列に繋いで処理を行うようにする。こうすることで、上述した両電極（陽極板２５と陰極板２６）と接触する通水距離を２倍とすることができ、基準となるＴＤＳ値に対して２倍量の処理水に対応することができる。同様に、基準となるＴＤＳ値に対して３倍量の処理水に対応する場合には、切替手段８２、８３、８５を閉じるとともに、切替手段８１、８６、８７を開放して３つの電解槽２Ａ〜２Ｃを直列に繋いだ状態で処理を行うようにする。さらには、基準となるＴＤＳ値に対して４倍量の処理水に対応する場合には、切替手段８２、８５、８７を閉じるとともに、切替手段８１、８３、８６を開放して４つの電解槽２Ａ〜２Ｄを直列に繋いだ状態で処理を行うようにする。
【００８５】
このように、本変形例では、切替手段８０〜８７を８つ（複数）設け、その８つ（複数）の切替手段８０〜８７を操作することで、並列または直列に接続される複数の電解槽２Ａ〜２Ｄの数を増減自在に調節することができるようにしている。そのため、流量およびＴＤＳ値の両方に対応することができ、流量を変化させた場合にも処理水のＴＤＳ値が異なる場合にも一定の水質を得ることができるようになる。
【００８６】
図８は、本実施形態の第１変形例を示した説明図である。
【００８７】
本変形例は、８つ（複数）の切替手段８０〜８７を操作することで、上記第３実施形態のように並列か直列の何れか一方で複数の電解槽２Ａ〜２Ｄを接続させるのではなく、並列と直列とを混在させて複数の電解槽２Ａ〜２Ｄを接続させるようにしたものである。
【００８８】
すなわち、図８に示すように、通常状態では切替手段８０〜８３をすべて閉じておくとともに、切替手段８４〜８７をすべて開放しておくことで、電解槽２Ａにのみ通水させて基準となる流量とＴＤＳ値がそれぞれ１倍の浄水を生成することができる。
【００８９】
次に、切替手段８１と８７を閉じるとともに、切替手段８０および８２〜８６を開放し、並列に接続された２つの電解槽２Ａ、２Ｂと、同じく並列に接続された２つの電解槽２Ｃ、２Ｄとを直列に繋いで処理を行うようにする。こうすることで、上述した流路の断面積と両電極（陽極板２５と陰極板２６）と接触する通水距離をそれぞれ２倍とすることができ、流量とＴＤＳ値がそれぞれ２倍の浄水を生成することができる。
【００９０】
このように、本変形例では、切替手段８０〜８７を８つ（複数）設け、その８つ（複数）の切替手段８０〜８７を操作することで、並列と直列とを混在させて複数の電解槽２Ａ〜２Ｄを接続させるようにしている。そのため、流量およびＴＤＳ値の両方に対応することができ、流量を稼ぐことができつつＴＤＳ値の高い処理水を処理することができるようになる。
【００９１】
図９（ａ）、（ｂ）、（ｃ）は、上記第３実施形態の第２変形例を示した説明図である。
【００９２】
本変形例は、複数の切替手段として上記第３実施形態および第１変形例の電磁弁に代えて流路切替部材６０および第２の電解槽収容体７０を用いたものである。
【００９３】
すなわち、本変形例では、図９（ｂ）に示す通常状態に対して、流量を増加させる場合には、流路切替部材６０を矢印Ａの方向に回転させ、図９（ａ）に示す状態とする。一方、ＴＤＳ値の高い処理水を処理する場合には、第２の電解槽収容体７０を矢印Ｂの方向に回転させ、図９（ｃ）に示す状態とする。
【００９４】
このように、本変形例では、複数の切替手段として流路切替部材６０および第２の電解槽収容体７０を用いることで、２つ（複数）の電解槽２Ａ、２Ｂを並列に接続させる場合と直列に接続させる場合の両方に対応できるようにしたものである。したがって、流量およびＴＤＳ値の両方に対応することができ、流量を変化させた場合にも処理水のＴＤＳ値が異なる場合にも一定の水質を得ることができる。
【００９５】
なお、本変形例では、並列または直列に接続させる電解槽２の数を２つとしたが、２つに限ることなく、３つ以上の電解槽２を組み合わせるようにしてもよい。
【００９６】
以上、本発明の好適な実施形態について説明したが、本発明は上記実施形態には限定されず、種々の変形が可能である。
【００９７】
例えば、上記各実施形態の第２変形例では、流路切替部材６０または／および第２の電解槽収容体７０を第１の電解槽収容体５０に対して回転させるようにしたが、例えばスライドさせるなど相対移動させて連通状態と遮断状態とを切り替える構成であればよい。
【符号の説明】
【００９８】
１    水処理装置
２    電解槽
２５  陽極板
２６  陰極板
２７  隔膜
４０〜４２  切替手段（電磁弁）
４３〜４５  切替手段（三方弁）
８０〜８７  切替手段（電磁弁）
【図１】
2014108378.tif 000003
【図２】
2014108378.tif 000004
【図３】
2014108378.tif 000005
【図４】
2014108378.tif 000006
【図５】
2014108378.tif 000007
【図６】
2014108378.tif 000008
【図７】
2014108378.tif 000009
【図８】
2014108378.tif 000010
【図９】
2014108378.tif 000011